(57)【要約】【課題】きものを着崩れ、裾乱れなく綺麗に着用することができるようにする。【解決手段】きものの着用時における右側の下前衽（２）の左側縁の右衿先部分（１４）の下方に間布（１５）の一側端を固定し、上記間布（１５）の対向する他側端を左側の上前身頃（３）と上前衽（４）との縫い合せ部分に固定するようにする。  上記きものの左側の上前衽（４）の右側縁の左衿先部分（２２）の下方の内側と、右側の下前身頃（１）の右側縁側の表面とを係止して固定することができる係止具（２３）を更に設けている。【選択図】図３
0003223704.tif 000002
【実用新案登録請求の範囲】
【請求項１】
きものの着用時における右側の下前衽の左側縁の右衿先部分の下方に間布の一側端を固定し、上記間布の対向する他側端を左側の上前身頃と上前衽との縫い合せ部分に固定するようにしたきもの。
【請求項２】
上記間布の一側端は右側の下前衽の左側縁の右衿先部分の下方に縫付けて固定され、他側端は左側の上前身頃と上前衽との縫い合せ部分の内側に取外し可能に固定されている請求項１に記載のきもの。
【請求項３】
上記間布の一側端は右側の下前衽の左側縁の右衿先部分の下方に取外し可能に固定され、他側端も左側の上前身頃と上前衽との縫い合せ部分の内側に取外し可能に固定されている請求項１に記載のきもの。
【請求項４】
上記きものの着用時における左側の上前衽の右側縁の左衿先部分の下方の内側と、右側の下前身頃の右側縁の表面とを係止して固定することができる係止具を更に設けた請求項１〜３のいずれかに記載のきもの。
【請求項５】
上記きものの着用状態を保持するように、左後身頃の中央部の外側から左後身頃と上前身頃の間に設けたスリットを通して上前身頃の内側に出る複数の釦穴を列設した伸縮性の左ベルトを設け、この左ベルトの釦穴に係合する釦を右衿下の表側に取付け、右後身頃の中央部の内側から右後身頃と下前身頃の間に設けたスリットを通して下前身頃の外側に出る複数の釦穴を列設した伸縮性の右ベルトを設け、この右ベルトの釦穴に係合する釦を左衿下の内側に取付けた請求項１〜４のいずれかに記載のきもの。
【考案の詳細な説明】
【技術分野】
【０００１】
本考案は、裾の乱れ、着崩れのない、誰でもが簡単に着ることができるきもの、特に女性用のきものに関するものである。
【背景技術】
【０００２】
近年、和服離れしていた若い女子が、ゆかたなどを通じて次第に和装に親しむようになってきているが、きものを着るに当っては洋服には見られない特殊性が存在する。
【０００３】
きものは着ているうちに洋服には見られない衿元の乱れ、裾の開き、帯の緩みなどの着崩れという問題がある。こうした着崩れを防ぐ為には洋服を着ている場合とは異なった立居振舞をしなければならないが、日常、洋服、とりわけスラックス等を穿き慣れている女性にとってこうしたことは一朝一夕にはできないことである。このような和装に馴れない人でも見苦しくなく、失礼のない着衣状態を自ずと維持できるようにする必要がある。
【０００４】
こんな中でも、特に気になるのは着崩れであり、また、洋服には見られない裾が開いてしまう裾の乱れがある。
こうしたことから、襦袢の上半部と下半部の適所に面接合ファスナーを設けて、胸合せ部分や裾合せ部分が多開することがないようにしたものも知られている。（特許文献１）
【先行技術文献】
【特許文献】
【０００５】
特許文献１：特公昭６３−５４８２号公報
【考案の概要】
【考案が解決しようとする課題】
【０００６】
本考案は、おはしょり無しで着ることができ、きものを余り着馴れない人、初めて着る人から、着馴れた人まで、すっきりとした衿元となるように簡単に着用することができ、また、着崩れを防止することができると共に、裾の乱れにも対応できるような従来のきものの枠を越えた斬新なきものを得ようとするものである。
【課題を解決するための手段】
【０００７】
本考案においては、きものの着用時における右側の下前衽の左側縁の右衿先部分の下方に間布の一側端を固定し、上記間布の対向する他側端を左側の上前身頃と上前衽との縫い合せ部分に固定するようにして取付け、裾が乱れたり、脚が開いたりした場合にも内側が見えることがないようにするものである。
また、上記間布は、その一側端を右側の下前衽の左側縁の右衿先部分の下方に、他側端を左側の上前身頃と上前衽との縫い合せ部分の内側に固定するが、その一方又は双方を取外し可能に固定するようにする。
【０００８】
そして、上記きものの着用時における左側の上前衽の右側縁の左衿先部分の下方の内側と、下前身頃の表面の右側とを係止して固定することができる係止具を更に設け、きものの打合せ状態を充分に保持できるようにする。
【考案の効果】
【０００９】
本考案によれば、このきものを羽織って袖に腕を通し、袖口を持って左右に引張るようにして中心合せを行い、右側の下前衽の衿下と左側の上前身頃と上前衽の縫い目との間に間布を固定し、左側の上前身頃と上前衽を右側の下前身頃と下前衽の上に打合せ状態に重ね、左右の衿をもって衿足を整える。
更に、上記間布を上前身頃の内側で固定してから、左側の上前衽の右側縁の左衿先部分の下方の内側と、右側の下前身頃の右後身頃側の表面に設けた係止具を固定すると着衣状態が保持できるので、その上から帯を結ぶだけで簡単に、キチンとした状態にきものを着ることができ、綺麗に着付けた状態を保持することができるようになる。
【００１０】
こうしたきものを着用しているときに、風が吹いたり、椅子への座り姿勢によって脚が開いたりすることがあっても、きものの内側に間布が設けてあるので上前衽と上前身頃が過度に開くことがなく、また、これによって内側が目隠しされるので、きものを着馴れない人でも安心して着用することができ、見苦しくなることを防止することができる。
【図面の簡単な説明】
【００１１】
【図１】本考案の実施例を示す上前身頃と下前身頃を打合せにした状態の正面図である。
【図２】図１に示すものの背面図である。
【図３】図１に示すものの上前身頃及び上前衽を開いた状態の正面図である。
【図４】図１に示すものの着用状態を示す説明図である。
【考案を実施するための形態】
【００１２】
着用した状態における、右側の下前身頃（１）、下前衽（２）、左側の上前身頃（３）、上前衽（４）、右後身頃（５）、左後身頃（６）、衿（７）、右袖（８）、左袖（９）等を備えるきもの（１０）がある。このきものは、合成繊維、絹、木綿、麻、毛、これらの混紡、交織などの適宜の生地を使用して、身頃丈、裄丈を着用者の身体に合せるように仕立てている。
図示する着物では、ポリエステルの織生地を使用して女性用の単衣のつい丈に仕立てている。
【００１３】
上記きもの（１０）の下前衽（２）の左側縁部（１３）で、右衿先（１４）の下方には間布（１５）の一端部（１６）が固定され、間布の対向する他端部（１７）を上前身頃（３）と上前衽（４）の縫い合せ部分（１８）の内側に固定できるようにしている。
図示の間布（１５）では、その一端部（１６）を下前衽（２）の左側縁部（１３）の裏面側に縫付けて固定しており、他端部（１７）と上記縫い合せ部分（１８）にスナップファスナー（ファスナップ）（１９）を設けて係脱可能に固定できるようにしているが、間布の両端部（１６）（１７）を係脱可能に固定できるようにすることもできる。
【００１４】
上記上前衽（４）の右端部（２１）の左衿先（２２）の下方の内側と、下前身頃（１）の右側の表側にも係止具（２３）を設けて嵌め外し可能に固定できるようにしており、
下前身頃（１）の上に打ち合わされた上前身頃（３）と上前衽（４）がずれ動かないようにしている。上記係止具（２３）としては、上記と同様にスナップファスナーを使用すると便利である。
【００１５】
また、下前身頃（１）の右袖付け部（２６）に設けたタック（２４）が胸部に延びており、体型に沿うようになっているし、下前身頃（１）から下前衽（２）にかけて裾上がりになるようにされている。また、同様に上前身頃（３）の左袖付け部（２８）にタック（２５）が設けられ、上前身頃（３）から下前衽（４）にかけて裾上がりになるようにされている。
【００１６】
そして、右袖（８）付けの下端部と下前身頃（１）及び右後身頃（５）の間には、これらを跨るような四角錐状のマチ（２７）を設けており、同様に左袖（９）付けの下端部と上前身頃（３）及び左後身頃（６）の間にもこれらを跨るような四角錐状のマチ（２９）を設けていて、袖付け部分が丈夫になっている。
また、図のものでは両袖（８）（９）の袖付けの下方の振りに当る部分は男物と同様に縫って閉じられている。
【００１７】
左後身頃（６）の略中央部の外側から左後身頃（６）と上前身頃（３）の間に設けたスリット（３０）を通して上前身頃（３）の内側に出る複数の釦穴（３２）を列設した伸縮性の左ベルト（３１）を設けている。この左ベルト（３１）の釦穴（３２）は、右衿下（１４）の表側に設けた釦（３３）に適宜の位置で嵌め合わせることができるようになっている。
また、右後身頃（５）の略中央部の内側から右後身頃（５）と下前身頃（１）の間に設けたスリット（３９）を通して下前身頃（１）の外側に出る複数の釦穴（３５）を列設した伸縮性の右ベルト（３４）を設けている。この右ベルト（３４）の釦穴（３５）は、左衿下（２２）の内側に設けた釦（３６）に適宜の位置で嵌め合わせることができるようになっている。
こうしたベルト（３１）（３４）を身体の幅に応じて適当な位置の釦穴（３２）（３５）によって釦（３３）（３６）に嵌め合わせれば、身体にピタリと合った状態に着付けることができる。
【００１８】
また、図示するものでは、右後身頃（５）及び左後身頃（６）の略中央部の右ベルト（３４）及び左ベルト（３１）の取付部には、左右対称的なタック（３７）（３８）が取ってあって背中の上下方向に延びており、不規則な縦皺も寄らず、身体へのフィット感も一層増すようになっている。
【００１９】
こうしたきもの（１０）は、肩に羽織って袖（８）（９）に腕を通してから左右の袖を引合い、間布（１５）のスナップファスナー（１９）を嵌め合せてから衿（７）を片手で持ち、もう一方の手で衿（７）の中央をやや下方に引くようにして衿足を整える。左バンド（３１）の釦穴（３２）を丁度良い位置で右衿下（１４）のボタン（３３）に嵌め、上前身頃（３）を打ち合せるようにして、右バンド（３４）の釦穴（３５）も丁度良い位置で左衿下（２２）の内側のボタン（３６）に嵌め合わせる。
【００２０】
そして、左衿先（２２）の下と下前身頃（１）の右側に設けたスナップファスナーの係止具（２３）を嵌め合わせると、身体に適合するようにピッタリときものを着ることができるので、きものを着馴れない人であってもあたかも洋服を着るような手軽さで着付けることができる。
【００２１】
こうしてきものを着ることができたら、その上から腰部に帯（４０）を結べば綺麗なきもの姿となる。この帯を結ぶときに、初心者の場合にはきものに合せて予めお太鼓などが作られている作り帯を使用すれば、難しい帯を結ぶ手間もいらないので、一層簡便にきもの姿を楽しむことができるようになる。
【００２２】
こうして出来上がったきもの姿は、衿元も整ってはだけることがないし、簡単に着崩れることはなく、上前衽や上前身頃の裾が捲れるようなことがあっても内側に間布があるので、それ以上に内側が露出されるようなこともないから、特に初心者であっても安心して手間もいらずにきものを着ることができるようになる。
【符号の説明】
【００２３】
１    下前身頃
２    下前衽
３    上前身頃
４    上前衽
５,６    後見頃
７    衿
８,９  袖
１０  きもの
１５  間布
１９  スナップファスナー
２３  係止具
２４,２５  タック
２７,２９  マチ
３１,３４  バンド
３３,３６  釦
４０  帯
【図１】
0003223704.tif 000003
【図２】
0003223704.tif 000004
【図３】
0003223704.tif 000005
【図４】
0003223704.tif 000006